(57)【特許請求の範囲】
【請求項１】
無線通信システム内の端末においてサウンディング参照信号（ＳＲＳ）を伝送する方法であって、
前記方法は、
基地局からサブフレームｎにおいてＰＤＣＣＨ（Ｐｈｙｓｉｃａｌ  Ｄｏｗｎｌｉｎｋ  Ｃｏｎｔｒｏｌ  ＣＨａｎｎｅｌ）を介してダウンリンク制御情報（ＤＣＩ）を受信することと、
前記ＤＣＩにおいてサウンディング参照信号トリガインジケータを検出することと、
前記サブフレームｎに関連付けられた特定のサブフレーム以降でセル特定して定義された第１のサブフレームにおいて前記ＳＲＳを前記基地局に伝送することと
を含む、方法。
【請求項２】
前記ＤＣＩは、アップリンクグラントまたはダウンリンクグラントを含む、請求項１に記載の方法。
【請求項３】
前記ＤＣＩが前記アップリンクグラントを含む場合に、前記特定のサブフレームは、前記アップリンクグラントにより示されるＰＵＳＣＨ（Ｐｈｙｓｉｃａｌ  Ｕｐｌｉｎｋ  Ｓｈａｒｅｄ  ＣＨａｎｎｅｌ）が伝送されるサブフレームである、請求項２に記載の方法。
【請求項４】
前記ＤＣＩが前記ダウンリンクグラントを含む場合に、前記特定のサブフレームは、前記ダウンリンクグラントに対応するアップリンク制御信号が伝送されるサブフレームである、請求項２に記載の方法。
【請求項５】
前記ＳＲＳを伝送するための少なくとも１つのパラメータは、より高位の層によって構成されている、請求項１に記載の方法。
【請求項６】
無線通信システムにおける端末であって、
前記端末は、
基地局からサブフレームｎにおいてＰＤＣＣＨ（Ｐｈｙｓｉｃａｌ  Ｄｏｗｎｌｉｎｋ  Ｃｏｎｔｒｏｌ  ＣＨａｎｎｅｌ）を介してダウンリンク制御情報（ＤＣＩ）を受信する受信モジュールと、
前記ＤＣＩにおいてサウンディング参照信号トリガインジケータを検出するプロセッサと、
前記サブフレームｎに関連付けられた特定のサブフレーム以降でセル特定して定義された第１のサブフレームにおいて前記ＳＲＳを前記基地局に伝送する送信モジュールと
を含む、端末。
【請求項７】
前記ＤＣＩは、アップリンクグラントまたはダウンリンクグラントを含む、請求項６に記載の端末。
【請求項８】
前記ＤＣＩがアップリンクグラントを含む場合に、前記特定のサブフレームは、前記アップリンクグラントにより示されるＰＵＳＣＨ（Ｐｈｙｓｉｃａｌ  Ｕｐｌｉｎｋ  Ｓｈａｒｅｄ  ＣＨａｎｎｅｌ）が伝送されるサブフレームである、請求項６に記載の端末。
【請求項９】
前記ＤＣＩがダウンリンクグラントを含む場合に、前記特定のサブフレームは、前記ダウンリンクグラントに対応するアップリンク制御信号が伝送されるサブフレームである、請求項６に記載の端末。
【請求項１０】
前記ＳＲＳを伝送するための少なくとも１つのパラメータは、より高位の層によって構成されている、請求項６に記載の端末。
【発明の詳細な説明】
【技術分野】
【０００１】
本発明は、無線通信システムに係り、特に、無線通信システムにおいて端末がサウンディング参照信号を基地局に送信する方法及びそのための装置に関するものである。
【背景技術】
【０００２】
本発明を適用できる移動通信システムの一例として、３ＧＰＰ  ＬＴＥ（３ｒｄ  Ｇｅｎｅｒａｔｉｏｎ  Ｐａｒｔｎｅｒｓｈｉｐ  Ｐｒｏｊｅｃｔ  Ｌｏｎｇ  Ｔｅｒｍ  Ｅｖｏｌｕｔｉｏｎ；以下、「ＬＴＥ」という。）通信システムについて概略的に説明する。
【０００３】
図１は、移動通信システムの一例として、Ｅ−ＵＭＴＳネットワーク構造を概略的に示す図である。Ｅ−ＵＭＴＳ（Ｅｖｏｌｖｅｄ  Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）システムは、既存ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）から進化したシステムであり、現在３ＧＰＰにおいて基礎的な標準化作業が進行中である。一般に、Ｅ−ＵＭＴＳをＬＴＥ（Ｌｏｎｇ  Ｔｅｒｍ  Ｅｖｏｌｕｔｉｏｎ）システムと呼ぶこともできる。ＵＭＴＳ及びＥ−ＵＭＴＳの技術規格（ｔｅｃｈｎｉｃａｌ  ｓｐｅｃｉｆｉｃａｔｉｏｎ）の詳細な内容はそれぞれ、「３ｒｄ  Ｇｅｎｅｒａｔｉｏｎ  Ｐａｒｔｎｅｒｓｈｉｐ  Ｐｒｏｊｅｃｔ；Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ」のＲｅｌｅａｓｅ  ７とＲｅｌｅａｓｅ  ８を参照すればよい。
【０００４】
図１を参照すると、Ｅ−ＵＭＴＳは、端末（Ｕｓｅｒ  Ｅｑｕｉｐｍｅｎｔ；ＵＥ）１２０、基地局（ｅＮｏｄｅＢ；ｅＮＢ）１１０ａ及び１１０ｂ、及びネットワーク（Ｅ−ＵＴＲＡＮ）の終端に位置して、外部ネットワークと接続されるアクセスゲートウェイ（Ａｃｃｅｓｓ  Ｇａｔｅｗａｙ；ＡＧ）を含む。基地局は、ブロードキャストサービス、マルチキャストサービス及び／またはユニキャストサービスのために多重データストリームを同時に伝送することができる。
【０００５】
一つの基地局には一つ以上のセルが存在する。セルは、１．２５、２．５、５、１０、１５、２０ＭＨｚなどの帯域幅のいずれか一つに設定され、多数の端末に下りまたは上り伝送サービスを提供する。異なるセルは、互いに異なる帯域幅を提供するように設定されればよい。基地局は、多数の端末に対するデータ送受信を制御する。ダウンリンク（Ｄｏｗｎｌｉｎｋ；ＤＬ）データに対して、基地局は、ダウンリンクスケジューリング情報を伝送することで、該当の端末にデータが伝送される時間／周波数領域、符号化、データサイズ、ハイブリッド自動再送要求（Ｈｙｂｒｉｄ  Ａｕｔｏｍａｔｉｃ  Ｒｅｐｅａｔ  ａｎｄ  ｒｅＱｕｅｓｔ；ＨＡＲＱ）関連情報などを知らせる。また、アップリンク（Ｕｐｌｉｎｋ；ＵＬ）データに対して、基地局は、アップリンクスケジューリング情報を該当の端末に伝送することで、該当の端末が使用可能な時間／周波数領域、符号化、データサイズ、ハイブリッド自動再送要求関連情報などを知らせる。基地局同士の間には、ユーザトラフィックまたは制御トラフィックの伝送のためのインターフェースを用いることができる。コアネットワーク（Ｃｏｒｅ  Ｎｅｔｗｏｒｋ；ＣＮ）は、ＡＧ、及び端末のユーザ登録などのためのネットワークノードなどで構成することができる。ＡＧは、複数のセルで構成されるＴＡ（Ｔｒａｃｋｉｎｇ  Ａｒｅａ）単位で端末の移動性を管理する。
【０００６】
無線通信技術はＷＣＤＭＡに基づいてＬＴＥにまで開発されてきたが、ユーザと事業者の要求と期待は増す一方である。その上、他の無線接続技術の開発が続いてきており、将来、競争力を持つためには新しい技術進化が要求される。ビット当たりのコストの削減、サービス可用性の増大、柔軟な周波数バンドの使用、単純構造と開放型インターフェース、端末の適度なパワー消耗などが要求される。
【０００７】
近年、３ＧＰＰは、ＬＴＥに後続する技術に対する標準化作業を進行中である。該技術を、本明細書では「ＬＴＥ−Ａｄｖａｎｃｅｄ」または「ＬＴＥ−Ａ」と称する。ＬＴＥシステムとＬＴＥ−Ａシステムとの主な相違点の一つは、システム帯域幅が異なることである。ＬＴＥ−Ａシステムは、最大１００ＭＨｚの広帯域を支援することを目指しており、そのために、複数の周波数ブロックを用いて広帯域を達成する搬送波集約（ｃａｒｒｉｅｒ  ａｇｇｒｅｇａｔｉｏｎまたはｂａｎｄｗｉｄｔｈ  ａｇｇｒｅｇａｔｉｏｎ）技術を用いるようにしている。搬送波集約は、より広い周波数帯域を使用するために、複数の周波数ブロックを一つの大きな論理周波数帯域として用いるようにする。各周波数ブロックの帯域幅は、ＬＴＥシステムで用いられるシステムブロックの帯域幅に基づいて定義されればよい。それぞれの周波数ブロックはコンポーネント搬送波を用いて伝送される。
【発明の概要】
【発明が解決しようとする課題】
【０００８】
本発明の目的は、無線通信システムにおいて端末が基地局にサウンディング参照信号を送信する方法及びそのための装置を提供することにある。
【０００９】
本発明で達成しようとする技術的課題は、以上に言及した技術的課題に制限されるものではなく、言及していない別の技術的課題は、下の記載から、本発明の属する技術の分野における通常の知識を有する者には明確に理解されるであろう。
【課題を解決するための手段】
【００１０】
本発明の一様相である、無線通信システムにおいて端末がサウンディング参照信号を伝送する方法は、基地局から非周期的サウンディング参照信号伝送指示信号を受信するステップと、既に設定された周期的サウンディング参照信号伝送のための特定サブフレームに基づき、前記非周期的サウンディング参照信号を伝送するための時間リソースを決定するステップと、前記決定された時間リソースを用いて前記非周期的サウンディング参照信号を前記基地局に伝送するステップと、を含むことを特徴とする。
【００１１】
前記非周期的サウンディング参照信号伝送指示信号は、物理層またはＭＡＣ（Ｍｅｄｉｕｍ  Ａｃｃｅｓｓ  Ｃｏｎｔｒｏｌ）層制御シグナリングであると好ましく、前記非周期的サウンディング参照信号を伝送するための時間リソースを決定するステップは、前記特定サブフレーム、前記特定サブフレーム以降に最初に前記周期的サウンディング参照信号を伝送するように設定されたサブフレーム、及び前記特定サブフレームから所定の時間オフセット以降のサブフレームのいずれか一サブフレームを、前記非周期的サウンディング参照信号を伝送するための時間リソースとして決定するステップを含むことを特徴とする。
【００１２】
より好適には、前記非周期的サウンディング参照信号伝送指示信号は、前記非周期的サウンディング参照信号の伝送回数、伝送期間及び伝送周期に関する情報のうちの少なくとも一つを含み、ここで、前記伝送間隔は、前記周期的サウンディング参照信号の伝送周期の倍数の形態で表現されることを特徴とする。
【００１３】
一方、前記非周期的サウンディング参照信号の伝送帯域幅は前記端末のアップリンク伝送全帯域幅で伝送され、前記基地局から前記非周期的サウンディング参照信号の伝送解除信号を受信した後、前記非周期的サウンディング参照信号の伝送を中断するステップをさらに含むことを特徴とする。
【００１４】
また、前記非周期的サウンディング参照信号のためのパラメータは、物理層またはＭＡＣ層制御シグナリングを通じて伝送されることを特徴とする。
【００１５】
また、本発明の他の様相である、無線通信システムにおける端末装置は、基地局から非周期的サウンディング参照信号伝送指示信号を受信する受信モジュールと、既に設定された周期的サウンディング参照信号伝送のための特定サブフレームに基づき、前記非周期的サウンディング参照信号を伝送するための時間リソースを決定するプロセッサと、前記決定された時間リソースを用いて前記非周期的サウンディング参照信号を前記基地局に伝送する送信モジュールと、を含むことを特徴とする。
【００１６】
前記非周期的サウンディング参照信号伝送指示信号は、物理層またはＭＡＣ層制御シグナリングであると好ましく、前記プロセッサは、前記特定サブフレーム、前記特定サブフレーム以降に最初に前記周期的サウンディング参照信号を伝送するように設定されたサブフレーム、及び前記特定サブフレームから所定の時間オフセット以降のサブフレームのいずれか一サブフレームを、前記非周期的サウンディング参照信号を伝送するための時間リソースとして決定することを特徴とする。
【００１７】
より好適には、前記非周期的サウンディング参照信号伝送指示信号は、前記非周期的サウンディング参照信号の伝送回数、伝送期間及び伝送間隔に関する情報のうちの少なくとも一つを含み、ここで、前記伝送間隔は、前記周期的サウンディング参照信号の伝送周期の倍数の形態で表現されることを特徴とする。
【００１８】
一方、前記非周期的サウンディング参照信号の伝送帯域幅は前記端末のアップリンク伝送全帯域幅で伝送されることを特徴とする。
【００１９】
また、前記非周期的サウンディング参照信号のためのパラメータは、物理層またはＭＡＣ層制御シグナリングを通じて伝送されることを特徴とする。さらに、前記受信モジュールが前記基地局から前記非周期的サウンディング参照信号の伝送解除信号を受信した場合、前記送信モジュールは、前記非周期的サウンディング参照信号の伝送を中断することが好ましい。
本発明は、例えば、以下も提供する。
（項目１）
無線通信システムにおいて端末がサウンディング参照信号を伝送する方法であって、
基地局から非周期的サウンディング参照信号伝送指示信号を受信し、
既に設定された周期的サウンディング参照信号伝送のための特定サブフレームに基づき、上記非周期的サウンディング参照信号を伝送するための時間リソースを決定し、
上記決定された時間リソースを用いて上記非周期的サウンディング参照信号を上記基地局に伝送すること、
を含む、サウンディング参照信号伝送方法。
（項目２）
上記非周期的サウンディング参照信号伝送指示信号は、物理層またはＭＡＣ（Ｍｅｄｉｕｍ  Ａｃｃｅｓｓ  Ｃｏｎｔｒｏｌ）層制御シグナリングである、項目１に記載のサウンディング参照信号伝送方法。
（項目３）
上記非周期的サウンディング参照信号を伝送するための時間リソースを決定することは、
上記特定サブフレーム、上記特定サブフレーム以降に最初に上記周期的サウンディング参照信号を伝送するように設定されたサブフレーム、及び上記特定サブフレームから所定の時間オフセット以降のサブフレームのいずれかの一サブフレームを、上記非周期的サウンディング参照信号を伝送するための時間リソースとし て決定することを含む、項目１に記載のサウンディング参照信号伝送方法。
（項目４）
上記非周期的サウンディング参照信号伝送指示信号は、上記非周期的サウンディング参照信号の伝送回数、伝送期間及び伝送間隔に関する情報のうちの少なくとも一つを含む、項目１に記載のサウンディング参照信号伝送方法。
（項目５）
上記伝送間隔は、上記周期的サウンディング参照信号の伝送周期の倍数の形態で表現される、項目４に記載のサウンディング参照信号伝送方法。
（項目６）
上記非周期的サウンディング参照信号の伝送帯域幅は、上記端末のアップリンク伝送全帯域幅である、項目１に記載のサウンディング参照信号伝送方法。
（項目７）
上記非周期的サウンディング参照信号のためのパラメータは、物理層またはＭＡＣ（Ｍｅｄｉｕｍ  Ａｃｃｅｓｓ  Ｃｏｎｔｒｏｌ）層制御シグナリングを通じて伝送される、項目１に記載のサウンディング参照信号伝送方法。
（項目８）
上記基地局から上記非周期的サウンディング参照信号の伝送解除信号を受信し、
上記伝送解除信号を受信した後、上記非周期的サウンディング参照信号の伝送を中断すること、
をさらに含む、項目１に記載のサウンディング参照信号伝送方法。
（項目９）
無線通信システムにおける端末装置であって、
基地局から非周期的サウンディング参照信号伝送指示信号を受信する受信モジュールと、
既に設定された周期的サウンディング参照信号伝送のための特定サブフレームに基づき、上記非周期的サウンディング参照信号を伝送するための時間リソースを決定するプロセッサと、
上記決定された時間リソースを用いて上記非周期的サウンディング参照信号を上記基地局に伝送する送信モジュールと、
を含む、端末装置。
（項目１０）
上記非周期的サウンディング参照信号伝送指示信号は、物理層またはＭＡＣ（Ｍｅｄｉｕｍ  Ａｃｃｅｓｓ  Ｃｏｎｔｒｏｌ）層制御シグナリングである、項目９に記載の端末装置。
（項目１１）
上記プロセッサは、
上記特定サブフレーム、上記特定サブフレーム以降に最初に上記周期的サウンディング参照信号を伝送するように設定されたサブフレーム、及び上記特定サブフレームから所定の時間オフセット以降のサブフレームのいずれか一サブフレームを、上記非周期的サウンディング参照信号を伝送するための時間リソースとして 決定する、項目９に記載の端末装置。
（項目１２）
上記非周期的サウンディング参照信号伝送指示信号は、上記非周期的サウンディング参照信号の伝送回数、伝送期間及び伝送間隔に関する情報のうちの少なくとも一つを含む、項目９に記載の端末装置。
（項目１３）
上記伝送間隔は、上記周期的サウンディング参照信号の伝送周期の倍数の形態で表現される、項目１２に記載の端末装置。
（項目１４）
上記非周期的サウンディング参照信号の伝送帯域幅は、アップリンク伝送全帯域幅である、項目９に記載の端末装置。
（項目１５）
上記受信モジュールは、上記基地局から上記非周期的サウンディング参照信号の伝送解除信号を受信し、
上記送信モジュールは、上記伝送解除信号を受信した後、上記非周期的サウンディング参照信号の伝送を中断する、項目９に記載の端末装置。
（項目１６）
上記非周期的サウンディング参照信号のためのパラメータは、物理層またはＭＡＣ（Ｍｅｄｉｕｍ  Ａｃｃｅｓｓ  Ｃｏｎｔｒｏｌ）層制御シグナリングを通じて伝送される、項目９に記載の端末装置。
【発明の効果】
【００２０】
本発明の実施例によれば、無線通信システムにおいて端末が効果的にサウンディング参照信号を送信することが可能になる。
【００２１】
本発明で得られる効果は、以上に言及した効果に制限されず、言及していない別の効果は、下の記載から、本発明の属する技術の分野における通常の知識を有する者には明確に理解されるであろう。
【図面の簡単な説明】
【００２２】
【図１】移動通信システムの一例として、Ｅ−ＵＭＴＳネットワーク構造を概略的に示す図である。
【図２】３ＧＰＰ無線接続網規格に基づく端末とＥ−ＵＴＲＡＮとの間の無線インターフェースプロトコル（Ｒａｄｉｏ  Ｉｎｔｅｒｆａｃｅ  Ｐｒｏｔｏｃｏｌ）の制御プレーン（Ｃｏｎｔｒｏｌ  Ｐｌａｎｅ）及びユーザプレーン（Ｕｓｅｒ  Ｐｌａｎｅ）構造を示す図である。
【図３】３ＧＰＰシステムに用いられる物理チャネル及びこれらのチャネルを用いた一般的な信号伝送方法を説明するための図である。
【図４】ＬＴＥシステムで用いられる無線フレームの構造を例示する図である。
【図５】ＬＴＥシステムで用いられるアップリンクサブフレームの構造を示す図である。
【図６】アンテナ選択手法が適用された一般的なサウンディング参照信号伝送方法を例示する図である。
【図７】ＬＴＥ−Ａシステムにおいて本発明の実施例によってサウンディング参照信号を送信する方法を説明するための図である。
【図８】ＬＴＥ−Ａシステムにおいて本発明の他の実施例によってサウンディング参照信号を送信する方法を説明するための図である。
【図９】本発明のさらに他の実施例によってサウンディング参照信号を送信する方法を説明するための図である。
【図１０】本発明の一実施例に係る通信送受信機を例示するブロック構成図である。
【発明を実施するための形態】
【００２３】
以下に添付の図面を参照して説明された本発明の実施例から、本発明の構成、作用及び他の特徴が容易に理解されるであろう。以下に説明される実施例は、本発明の技術的特徴が３ＧＰＰシステムに適用された例である。
【００２４】
以下、システム帯域が単一周波数ブロックを使用するシステムを、レガシーシステム（ｌｅｇａｃｙ  ｓｙｓｔｅｍ）または狭帯域システム（ｎａｒｒｏｗｂａｎｄ  ｓｙｓｔｅｍ）と呼ぶ。これに対応して、システム帯域が複数の周波数ブロックを含み、且つ少なくとも一つの周波数ブロックをレガシーシステムのシステムブロックとするシステムを、進化したシステム（ｅｖｏｌｖｅｄ  ｓｙｓｔｅｍ）または広帯域システム（ｗｉｄｅｂａｎｄ  ｓｙｓｔｅｍ）と呼ぶ。レガシーシステムブロックに用いられる周波数ブロックは、レガシーシステムのシステムブロックと同じサイズを有するが、残りの周波数ブロックのサイズは特に制限されない。しかし、システムの単純化のために、これら残りの周波数ブロックのサイズも、レガシーシステムのシステムブロックサイズに基づいて決定されてもよい。例えば、３ＧＰＰ  ＬＴＥシステムと３ＧＰＰ  ＬＴＥ−Ａシステムは、レガシーシステムと進化したシステムの関係にある。
【００２５】
上述の定義に基づき、本明細書において、３ＧＰＰ  ＬＴＥシステムをＬＴＥシステムまたはレガシーシステムと呼ぶ。また、ＬＴＥシステムを支援する端末を、ＬＴＥ端末またはレガシー端末と呼ぶ。これに対応して、３ＧＰＰ  ＬＴＥ−ＡシステムをＬＴＥ−Ａシステムまたは進化したシステムと呼ぶ。また、ＬＴＥ−Ａシステムを支援する端末を、ＬＴＥ−Ａ端末または進化した端末と呼ぶ。
【００２６】
便宜上、本明細書ではＬＴＥシステム及びＬＴＥ−Ａシステムを用いて本発明の実施例を説明するが、これは例示に過ぎず、本発明の実施例は、上述した定義に該当するいかなる通信システムにも適用可能である。また、本明細書は、ＦＤＤ方式を基準にして本発明の実施例について説明するが、これは例示に過ぎず、本発明の実施例は、Ｈ−ＦＤＤ方式またはＴＤＤ方式にも容易に変形して適用することができる。
【００２７】
図２は、３ＧＰＰ無線接続網規格に基づく端末とＥ−ＵＴＲＡＮとの間の無線インターフェースプロトコル（Ｒａｄｉｏ  Ｉｎｔｅｒｆａｃｅ  Ｐｒｏｔｏｃｏｌ）の制御プレーン及びユーザプレーンの構造を示す図である。制御プレーンとは、端末（ＵＥ）とネットワークとが呼を管理するために用いる制御メッセージが伝送される通路のことを意味する。ユーザプレーンとは、アプリケーション層で生成されたデータ、例えば、音声データまたはインターネットパケットデータなどが伝送される通路のことを意味する。
【００２８】
第１層である物理層は、物理チャネル（Ｐｈｙｓｉｃａｌ  Ｃｈａｎｎｅｌ）を用いて上位層に情報伝送サービス（Ｉｎｆｏｒｍａｔｉｏｎ  Ｔｒａｎｓｆｅｒ  Ｓｅｒｖｉｃｅ）を提供する。物理層は、上位の媒体接続制御（Ｍｅｄｉｕｍ  Ａｃｃｅｓｓ  Ｃｏｎｔｒｏｌ）層とは伝送チャネル（Ｔｒａｎｓｐｏｒｔ  Ｃｈａｎｎｅｌ）を通じて接続されている。該伝送チャネルを通じて媒体接続制御層と物理層との間にデータが移動する。送信側の物理層と受信側の物理層との間には物理チャネルを通じてデータが移動する。該物理チャネルは、時間及び周波数を無線リソースとして活用する。具体的に、物理チャネルは、ダウンリンクにおいてＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）方式で変調され、アップリンクにおいてＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）方式で変調される。
【００２９】
第２層の媒体接続制御（Ｍｅｄｉｕｍ  Ａｃｃｅｓｓ  Ｃｏｎｔｒｏｌ；ＭＡＣ）層は、論理チャネル（Ｌｏｇｉｃａｌ  Ｃｈａｎｎｅｌ）を通じて、上位層である無線リンク制御（Ｒａｄｉｏ  Ｌｉｎｋ  Ｃｏｎｔｒｏｌ；ＲＬＣ）層にサービスを提供する。第２層のＲＬＣ層は、信頼できるデータ伝送を支援する。ＲＬＣ層の機能は、ＭＡＣ内部の機能ブロックで具現されてもよい。第２層のＰＤＣＰ（Ｐａｃｋｅｔ  Ｄａｔａ  Ｃｏｎｖｅｒｇｅｎｃｅ  Ｐｒｏｔｏｃｏｌ）層は、帯域幅の狭い無線インターフェースでＩＰｖ４やＩＰｖ６のようなＩＰパケットを效率的に伝送するために、余分の制御情報を減らすヘッダー圧縮（Ｈｅａｄｅｒ  Ｃｏｍｐｒｅｓｓｉｏｎ）機能を果たす。
【００３０】
第３層の最下部に位置する無線リソース制御（Ｒａｄｉｏ  Ｒｅｓｏｕｒｃｅ  Ｃｏｎｔｒｏｌ；ＲＲＣ）層は、制御プレーンにのみ定義される。ＲＲＣ層は、無線ベアラー（Ｒａｄｉｏ  Ｂｅａｒｅｒ）の設定（Ｃｏｎｆｉｇｕｒａｔｉｏｎ）、再設定（Ｒｅ−ｃｏｎｆｉｇｕｒａｔｉｏｎ）及び解除（Ｒｅｌｅａｓｅ）と関連して、論理チャネル、伝送チャネル及び物理チャネルの制御を担当する。無線ベアラーとは、端末とネットワークとの間のデータ伝達のために第２層により提供されるサービスのことを意味する。そのために、端末のＲＲＣ層とネットワークのＲＲＣ層とはＲＲＣメッセージを互いに交換する。端末のＲＲＣ層とネットワークのＲＲＣ層との間にＲＲＣ接続（ＲＲＣ  Ｃｏｎｎｅｃｔｅｄ）がある場合、端末は、ＲＲＣ接続状態（Ｃｏｎｎｅｃｔｅｄ  Ｍｏｄｅ）にあることとなり、そうでない場合は、ＲＲＣ休止状態（Ｉｄｌｅ  Ｍｏｄｅ）にあることとなる。ＲＲＣ層の上位に位置するＮＡＳ（Ｎｏｎ−Ａｃｃｅｓｓ  Ｓｔｒａｔｕｍ）層は、セッション管理（Ｓｅｓｓｉｏｎ  Ｍａｎａｇｅｍｅｎｔ）と移動性管理（Ｍｏｂｉｌｉｔｙ  Ｍａｎａｇｅｍｅｎｔ）などの機能を果たす。
【００３１】
基地局（ｅＮＢ）を構成する一つのセルは、１．２５、２．５、５、１０、１５、２０ＭＨｚなどの帯域幅のいずれか一つに設定され、多数の端末に下りまたは上り伝送サービスを提供する。異なるセルは、互いに異なる帯域幅を提供するように設定されればよい。
【００３２】
ネットワークから端末にデータを伝送する下り伝送チャネルは、システム情報を伝送するＢＣＨ（Ｂｒｏａｄｃａｓｔ  Ｃｈａｎｎｅｌ）、ページングメッセージを伝送するＰＣＨ（Ｐａｇｉｎｇ  Ｃｈａｎｎｅｌ）、ユーザトラフィックや制御メッセージを伝送する下りＳＣＨ（Ｓｈａｒｅｄ  Ｃｈａｎｎｅｌ）などがある。下りマルチキャストまたは放送サービスのトラフィックまたは制御メッセージの場合、下りＳＣＨを通じて伝送されてもよく、別の下りＭＣＨ（Ｍｕｌｔｉｃａｓｔ  Ｃｈａｎｎｅｌ）を通じて伝送されてもよい。一方、端末からネットワークにデータを伝送する上り伝送チャネルには、初期制御メッセージを伝送するＲＡＣＨ（Ｒａｎｄｏｍ  Ａｃｃｅｓｓ  Ｃｈａｎｎｅｌ）、ユーザトラフィックや制御メッセージを伝送する上りＳＣＨ（Ｓｈａｒｅｄ  Ｃｈａｎｎｅｌ）がある。伝送チャネルの上位におり、伝送チャネルにマッピングされる論理チャネル（Ｌｏｇｉｃａｌ  Ｃｈａｎｎｅｌ）には、ＢＣＣＨ（Ｂｒｏａｄｃａｓｔ  Ｃｏｎｔｒｏｌ  Ｃｈａｎｎｅｌ）、ＰＣＣＨ（Ｐａｇｉｎｇ  Ｃｏｎｔｒｏｌ  Ｃｈａｎｎｅｌ）、ＣＣＣＨ（Ｃｏｍｍｏｎ  Ｃｏｎｔｒｏｌ  Ｃｈａｎｎｅｌ）、ＭＣＣＨ（Ｍｕｌｔｉｃａｓｔ  Ｃｏｎｔｒｏｌ  Ｃｈａｎｎｅｌ）、ＭＴＣＨ（Ｍｕｌｔｉｃａｓｔ  Ｔｒａｆｆｉｃ  Ｃｈａｎｎｅｌ）などがある。
【００３３】
図３は、３ＧＰＰシステムに用いられる物理チャネル及びこれらのチャネルを用いた一般の信号伝送方法を説明するための図である。
【００３４】
端末は、電源が入ったり、新しくセルに進入したりした場合、基地局と同期を合わせる等の初期セル探索（Ｉｎｉｔｉａｌ  ｃｅｌｌ  ｓｅａｒｃｈ）作業を行う（Ｓ３０１）。そのために、端末は、基地局からプライマリ同期チャネル（Ｐｒｉｍａｒｙ  Ｓｙｎｃｈｒｏｎｉｚａｔｉｏｎ  Ｃｈａｎｎｅｌ；Ｐ−ＳＣＨ）及びセカンダリ同期チャネル（Ｓｅｃｏｎｄａｒｙ  Ｓｙｎｃｈｒｏｎｉｚａｔｉｏｎ  Ｃｈａｎｎｅｌ；Ｓ−ＳＣＨ）を受信して基地局と同期を合わせ、セルＩＤなどの情報を獲得することができる。その後、端末は、基地局から物理放送チャネル（Ｐｈｙｓｉｃａｌ  Ｂｒｏａｄｃａｓｔ  Ｃｈａｎｎｅｌ）を受信し、セル内の放送情報を獲得することができる。一方、端末は、初期セル探索段階で、ダウンリンク参照信号（Ｄｏｗｎｌｉｎｋ  Ｒｅｆｅｒｅｎｃｅ  Ｓｉｇｎａｌ；ＤＬＲＳ）を受信し、ダウンリンクチャネル状態を確認することができる。
【００３５】
初期セル探索を終えた端末は、物理ダウンリンク制御チャネル（Ｐｈｙｓｉｃａｌ  Ｄｏｗｎｌｉｎｋ  Ｃｏｎｔｒｏｌ  Ｃｈａｎｎｅｌ；ＰＤＣＣＨ）、及び該ＰＤＣＣＨに載せられた情報に基づいて物理ダウンリンク共有チャネル（Ｐｈｙｓｉｃａｌ  Ｄｏｗｎｌｉｎｋ  Ｃｏｎｔｒｏｌ  Ｃｈａｎｎｅｌ；ＰＤＳＣＨ）を受信することによって、より具体的なシステム情報を獲得することができる（Ｓ３０２）。
【００３６】
一方、基地局に最初に接続したり信号伝送のための無線リソースがない場合、端末は、基地局にランダムアクセス手順（Ｒａｎｄｏｍ  Ａｃｃｅｓｓ  Ｐｒｏｃｅｄｕｒｅ；ＲＡＣＨ）を行うことができる（段階Ｓ３０３乃至段階Ｓ３０６）。そのために、端末は、物理ランダムアクセスチャネル（Ｐｈｙｓｉｃａｌ  Ｒａｎｄｏｍ  Ａｃｃｅｓｓ  Ｃｈａｎｎｅｌ；ＰＲＡＣＨ）を通じて特定シーケンスをプリアンブルとして伝送し（Ｓ３０３及びＳ３０５）、ＰＤＣＣＨ及び対応するＰＤＳＣＨを通じて、プリアンブルに対する応答メッセージを受信することができる（Ｓ３０４及びＳ３０６）。競合ベースのＲＡＣＨの場合、衝突解決手順（Ｃｏｎｔｅｎｔｉｏｎ  Ｒｅｓｏｌｕｔｉｏｎ  Ｐｒｏｃｅｄｕｒｅ）をさらに行うことができる。
【００３７】
上述の手順を行った端末は、以降、一般的なアップリンク／ダウンリンク信号伝送手順として、ＰＤＣＣＨ／ＰＤＳＣＨ受信（Ｓ３０７）及び物理アップリンク共有チャネル（Ｐｈｙｓｉｃａｌ  Ｕｐｌｉｎｋ  Ｓｈａｒｅｄ  Ｃｈａｎｎｅｌ；ＰＵＳＣＨ）／物理アップリンク制御チャネル（Ｐｈｙｓｉｃａｌ  Ｕｐｌｉｎｋ  Ｃｏｎｔｒｏｌ  Ｃｈａｎｎｅｌ；ＰＵＣＣＨ）伝送（Ｓ３０８）を行うことができる。端末がアップリンクを通じて基地局に伝送するまたは端末が基地局から受信する制御情報は、ダウンリンク／アップリンクＡＣＫ／ＮＡＣＫ信号、ＣＱＩ（Ｃｈａｎｎｅｌ  Ｑｕａｌｉｔｙ  Ｉｎｄｉｃａｔｏｒ）、ＰＭＩ（Ｐｒｅｃｏｄｉｎｇ  Ｍａｔｒｉｘ  Ｉｎｄｅｘ）、ＲＩ（Ｒａｎｋ  Ｉｎｄｉｃａｔｏｒ）などを含む。３ＧＰＰ  ＬＴＥシステムでは、端末は、これらのＣＱＩ／ＰＭＩ／ＲＩなどの制御情報をＰＵＳＣＨ及び／またはＰＵＣＣＨを通じて伝送することができる。
【００３８】
図４は、ＬＴＥシステムで用いられる無線フレームの構造を例示する図である。
【００３９】
図４を参照すると、無線フレーム（ｒａｄｉｏ  ｆｒａｍｅ）は、１０ｍｓ（３２７２００・Ｔｓ）の長さを有し、１０個の均等なサイズのサブフレーム（ｓｕｂｆｒａｍｅ）で構成されている。それぞれのサブフレームは、１ｍｓの長さを有し、２個のスロット（ｓｌｏｔ）で構成されている。各スロットは、０．５ｍｓ（１５３６０・Ｔｓ）の長さを有する。ここで、Ｔｓは、サンプリング時間を表し、Ｔｓ＝１／（１５ｋＨｚ×２０４８）＝３．２５５２×１０−８（約３３ｎｓ）で表示される。スロットは、時間領域において複数のＯＦＤＭシンボルあるいはＳＣ−ＦＤＭＡシンボルを含み、周波数領域において複数のリソースブロック（Ｒｅｓｏｕｒｃｅ  Ｂｌｏｃｋ）を含む。ＬＴＥシステムにおいて、１リソースブロックは、１２個の副搬送波×７（６）個のＯＦＤＭシンボルあるいはＳＣ−ＦＤＭＡシンボルを含む。データが伝送される単位時間であるＴＴＩ（Ｔｒａｎｓｍｉｓｓｉｏｎ  Ｔｉｍｅ  Ｉｎｔｅｒｖａｌ）は、一つ以上のサブフレーム単位に定めればよい。上記の無線フレームの構造は例示に過ぎず、無線フレームに含まれるサブフレームの数またはサブフレームに含まれるスロットの数、スロットに含まれるＯＦＤＭシンボルあるいはＳＣ−ＦＤＭＡシンボルの数は種々に変更可能である。
【００４０】
図５は、ＬＴＥシステムで用いられるアップリンクサブフレームの構造を示す図である。
【００４１】
図５を参照すると、ＬＴＥアップリンク伝送の基本単位である１ｍｓ長のサブフレーム５００は、２つの０．５ｍｓスロット５０１で構成される。一般（Ｎｏｒｍａｌ）サイクリックプレフィックス（Ｃｙｃｌｉｃ  Ｐｒｅｆｉｘ、ＣＰ）の長さを想定すると、各スロットは７個のシンボル５０２で構成され、一つのシンボルは、一つのＳＣ−ＦＤＭＡシンボルに対応する。リソースブロック（Ｒｅｓｏｕｒｃｅ  Ｂｌｏｃｋ）５０３は、周波数領域において１２個の副搬送波、そして時間領域において１スロットに該当するリソース割当単位である。ＬＴＥのアップリンクサブフレームの構造は、データ領域５０４と制御領域５０５とに大別される。ここで、データ領域は、各端末に伝送される音声、パケットなどのデータを送信するために用いられる一連の通信リソースを意味し、サブフレーム内において制御領域以外のリソースに該当する。制御領域は、各端末からのダウンリンクチャネル品質報告、ダウンリンク信号に対する受信ＡＣＫ／ＮＡＣＫ、アップリンクスケジューリング要請などを送信するために用いられる一連の通信リソースを意味する。
【００４２】
図５に示す例のように、１つのサブフレーム内でサウンディング参照信号が伝送されうる領域５０６は、１つのサブフレームにおいて、時間軸上では最後に位置するＳＣ−ＦＤＭＡシンボルの区間であり、周波数上ではデータ伝送帯域を通じて伝送される。同じサブフレームの最後のＳＣ−ＦＤＭＡで搬送される複数の端末のサウンディング参照信号は、周波数位置により区別可能である。
【００４３】
また、サウンディング参照信号は、ＣＡＺＡＣ（Ｃｏｎｓｔａｎｔ  Ａｍｐｌｉｔｕｄｅ  Ｚｅｒｏ  Ａｕｔｏ  Ｃｏｒｒｅｌａｔｉｏｎ）シーケンスで構成され、複数の端末から伝送されたサウンディング参照信号は、下記の数学式１から得られる互いに異なる巡回シフト（ｃｙｃｌｉｃ  ｓｈｉｆｔ）値（α）を有するＣＡＺＡＣシーケンス
【００４４】
【化１】
0005523555.tif 000002
である。
【００４５】
【数１】
0005523555.tif 000003
ここで、
【００４６】
【化２−１】
0005523555.tif 000004
は、上位層によって各端末に設定される値であり、０〜７の整数値を有する。したがって、巡回シフト値は、
【００４７】
【化２−２】
0005523555.tif 000005
によって８個の値を有することができる。
【００４８】
一つのＣＡＺＡＣシーケンスから巡回シフトを通じて生成されたＣＡＺＡＣシーケンスはそれぞれ、自身と異なる巡回シフト値を有するシーケンスと零の相関値（ｚｅｒｏ−ｃｏｒｒｅｌａｔｉｏｎ）を有する特性がある。このような特性を用いて、同一の周波数領域のサウンディング参照信号はＣＡＺＡＣシーケンス巡回シフト値によって区別することができる。各端末のサウンディング参照信号は、基地局で設定するパラメータによって周波数上に割り当てられる。端末は、アップリンクデータ伝送帯域幅全体でサウンディング参照信号を伝送できるようにサウンディング参照信号の周波数跳躍を行う。
【００４９】
以下では、ＬＴＥシステムにおいてサウンディング参照信号を送信するための物理リソースをマッピングする具体的な方法について説明する。
【００５０】
サウンディング参照信号シーケンス
【００５１】
【化３】
0005523555.tif 000006
は、まず、送信電力
【００５２】
【化４】
0005523555.tif 000007
を満たすために振幅スケーリング因子
【００５３】
【化５】
0005523555.tif 000008
がかけられた後、インデックスが
【００５４】
【化６】
0005523555.tif 000009
であるリソース要素（Ｒｅｓｏｕｒｃｅ  Ｅｌｅｍｅｎｔ；ＲＥ）に、
【００５５】
【化７】
0005523555.tif 000010
から、下記の数学式２に従ってマッピングされる。
【００５６】
【数２】
0005523555.tif 000011
ここで、
【００５７】
【化８】
0005523555.tif 000012
は、サウンディング参照信号の周波数領域の始点を表し、下記の数学式３のように定義される。
【００５８】
【数３】
0005523555.tif 000013
ただし、
【００５９】
【化９】
0005523555.tif 000014
は、周波数位置インデックスを表す。また、一般的なアップリンクサブフレームのための
【００６０】
【化１０−１】
0005523555.tif 000015
は、下記の数学式４のように定義され、アップリンクパイロットタイムスロット（ＵｐＰＴＳ）のための
【００６１】
【化１０−２】
0005523555.tif 000016
は、下記の数学式５のように定義される。
【００６２】
【数４】
0005523555.tif 000017
【００６３】
【数５】
0005523555.tif 000018
数学式４及び数学式５で、
【００６４】
【化１１】
0005523555.tif 000019
は、上位層を通じて端末にシグナリングされる伝送コム（ｔｒａｎｓｍｉｓｓｉｏｎＣｏｍｂ）パラメータであり、０または１の値を有する。また、
【００６５】
【化１２】
0005523555.tif 000020
は、第１ハーフフレーム（ｈａｌｆｆｒａｍｅ）のアップリンクパイロットタイムスロットでは０であり、第２ハーフフレームのアップリンクパイロットタイムスロットでは０である。
【００６６】
【化１３】
0005523555.tif 000021
は、下記の数学式６のように定義された副搬送波単位で表現されたサウンディング参照信号シーケンスの長さ、すなわち、帯域幅である。
【００６７】
【数６】
0005523555.tif 000022
数学式６で、
【００６８】
【化１４−１】
0005523555.tif 000023
は、下記の表１乃至表４に示すように、アップリンク帯域幅
【００６９】
【化１５】
0005523555.tif 000024
に応じて基地局からシグナリングされる値である。
【００７０】
【化１４−２】
0005523555.tif 000025
を獲得するために、０〜７の整数値であるセル特定パラメータ
【００７１】
【化１６−１】
0005523555.tif 000026
、及び０〜３の整数値である端末特定パラメータ
【００７２】
【化１７−１】
0005523555.tif 000027
が必要である。このような
【００７３】
【化１６−２】
0005523555.tif 000028
と
【００７４】
【化１７−２】
0005523555.tif 000029
の値は上位層により与えられる。
【００７５】
【表１】
0005523555.tif 000030
【００７６】
【表２】
0005523555.tif 000031
【００７７】
【表３】
0005523555.tif 000032
【００７８】
【表４】
0005523555.tif 000033
上述したように、アップリンクデータ伝送帯域幅全体でサウンディング参照信号を伝送できるように、端末は、サウンディング参照信号の周波数跳躍（ｆｒｅｑｕｅｎｃｙ  ｈｏｐｐｉｎｇ）を行うことができ、このような周波数跳躍は、上位層から与えられた０〜３の値を有するパラメータ
【００７９】
【化１８】
0005523555.tif 000034
によって設定される。
【００８０】
サウンディング参照信号の周波数跳躍が非活性化された場合、すなわち、
【００８１】
【化１９】
0005523555.tif 000035
の場合、周波数位置インデックス
【００８２】
【化２０−１】
0005523555.tif 000036
は、下記の数学式７のように一定の値を有する。ここで、
【００８３】
【化２１】
0005523555.tif 000037
は、上位層から与えられるパラメータとする。
【００８４】
【数７】
0005523555.tif 000038
一方、サウンディング参照信号の周波数跳躍が活性化された場合、すなわち、
【００８５】
【化２２】
0005523555.tif 000039
の場合、周波数位置インデックス
【００８６】
【化２０−２】
0005523555.tif 000040
は、下記の数学式８及び数学式９によって定義される。
【００８７】
【数８】
0005523555.tif 000041
【００８８】
【数９】
0005523555.tif 000042
ここで、
【００８９】
【化２３】
0005523555.tif 000043
は、サウンディング参照信号を送信した回数を計算するパラメータであり、下記の数学式１０で示される。
【００９０】
【数１０】
0005523555.tif 000044
数学式１０で、
【００９１】
【化２４−１】
0005523555.tif 000045
はサウンディング参照信号の周期であり、
【００９２】
【化２５−１】
0005523555.tif 000046
はサウンディング参照信号のサブフレームオフセットを表す。また、
【００９３】
【化２６】
0005523555.tif 000047
はスロット番号、
【００９４】
【化２７】
0005523555.tif 000048
はフレーム番号を表す。
【００９５】
端末特定のサウンディング参照信号の周期
【００９６】
【化２４−２】
0005523555.tif 000049
とサブフレームオフセット
【００９７】
【化２５−２】
0005523555.tif 000050
を設定するための端末特定サウンディング参照信号設定インデックス
【００９８】
【化２８】
0005523555.tif 000051
は、ＦＤＤとＴＤＤによってそれぞれ下記の表５及び表６のように表される。特に、表５はＦＤＤの場合、表６はＴＤＤの場合を表す。
【００９９】
【表５】
0005523555.tif 000052
【０１００】
【表６】
0005523555.tif 000053
既存ＬＴＥシステムの端末は、１つの無線電力増幅器チェーン（ＲＦ  ｐｏｗｅｒ  ａｍｐ  ｃｈａｉｎ）に基づいてアップリンク信号を送信する。特に、２個の物理的なアンテナを用いてアップリンク伝送を行う場合、１つの無線電力増幅器の出力を、これらの物理的なアンテナに時間リソース領域上でスイッチングするアンテナ選択手法を適用している。
【０１０１】
図６は、アンテナ選択手法が適用された一般的なサウンディング参照信号伝送方法を例示する図である。
【０１０２】
図６は、全体システム帯域幅よりもサウンディング参照信号送信帯域幅が小さく、且つサウンディング参照信号送信時に上述の周波数跳躍手法が適用される場合、それぞれのサウンディング参照信号送信時点で各アンテナ別サウンディング参照信号の周波数リソース領域を割り当てる方法について示している。もし、サウンディング参照信号送信時に周波数跳躍手法が適用されないとすれば、それぞれのサウンディング参照信号送信時点別に、同一の帯域幅と周波数位置上で個別アンテナを用いて交互にサウンディング参照信号が伝送される。
【０１０３】
これと違い、ＬＴＥ−Ａシステムのように、端末が複数個の伝送アンテナと複数個の無線電力増幅器チェーンを保有し、同時に複数のアンテナからアップリンクで伝送することが可能である。
【０１０４】
したがって、以下では、ＬＴＥ−Ａシステムに適用可能なサウンディング参照信号伝送方法、特に、サウンディング参照信号の多重化方法を提案し、本発明に係るサウンディング参照信号伝送方法は、複数個の無線電力増幅器チェーンを用いて任意の瞬間に複数個の伝送アンテナを用いたアップリンク信号を伝送できるという点を考慮する。また、本発明では、ＰＵＳＣＨやＰＵＣＣＨの伝送がなされる場合、ＰＵＳＣＨやＰＵＣＣＨの伝送に用いられるアンテナやレイヤーに対するＳＲＳ伝送が、当該ＰＵＳＣＨやＰＵＣＣＨと同じサブフレームでなされるようにする。これを支援するためのＳＲＳ多重化方案として、任意のサブフレーム内のＳＲＳ伝送シンボル上でコード分割多重化（Ｃｏｄｅ  Ｄｉｖｉｓｉｏｎ  Ｍｕｌｔｉｐｌｅｘｉｎｇ；ＣＤＭ）または周波数分割多重化（Ｆｒｅｑｕｅｎｃｙ  Ｄｉｖｉｓｉｏｎ  Ｍｕｌｔｉｐｌｅｘｉｎｇ；ＦＤＭ）、または両者の組み合わせを行うことが考慮できる。
【０１０５】
まず、本発明に係るサウンディング参照信号のコード分割多重化手法について説明する。コード分割多重化において多重化容量（ｍｕｌｔｉｐｌｅｘｉｎｇ  ｃａｐａｃｉｔｙ）を決定する要素は、可用の巡回シフト（ｃｙｃｌｉｃｓｈｉｆｔ）値の個数である。可用の巡回シフト値の個数は、ＯＦＤＭあるいはＳＣ−ＦＤＭＡシンボルのサイクリックプレフィックス長とチャネルの遅延拡散（ｄｅｌａｙ  ｓｐｒｅａｄ）値との関係によって決定され、サウンディング参照信号の伝送のために要求される巡回シフト値の全体または一部に関して明示的にまたは暗示的に上位層、例えば、ＲＲＣ層からシグナリングされてもよく、あるいは、Ｌ１／Ｌ２制御チャネルを通じてシグナリングされてもよい。
【０１０６】
場合によって、ＳＲＳシーケンス上の基底シーケンスインデックス（ｂａｓｅ  ｓｅｑｕｅｎｃｅ  ｉｎｄｅｘ）またはルートインデックス（ｒｏｏｔ  ｉｎｄｅｘ）も、巡回シフト値と共に、多重化容量を決定する要素にしてもよい。
【０１０７】
図７は、ＬＴＥ−Ａシステムにおいて本発明の実施例によってサウンディング参照信号を送信する方法を説明するための図である。特に、図７は、サブフレームの最後のＯＦＤＭあるいはＳＣ−ＦＤＭＡシンボルにおいてサウンディング参照信号をコード分割多重化手法を用いて多重化した一例である。
【０１０８】
図７を参照すると、伝送すべきサウンディング参照信号がＭ個の場合、Ｍ個のサウンディング参照信号は、互いに異なるＭ個の巡回シフト値（または基底シーケンスインデックス）を用いて、あらかじめ定められたサウンディング参照信号伝送帯域幅にコード分割多重化される。ここで、あらかじめ定められたサウンディング参照信号伝送帯域幅は、システム帯域幅によって種々のサイズを有することができる。
【０１０９】
次に、本発明に係るサウンディング参照信号の周波数分割多重化手法について説明する。周波数分割多重化手法を適用するに当たり、多重化容量を決定する要素として、サウンディング参照信号の伝送に用いられる副搬送波間隔、すなわち、密度を決定する反復因子（ｒｅｐｅｔｉｔｉｏｎ  ｆａｃｔｏｒ；ＲＰＦ）とＳＲＳ伝送帯域幅が考慮できる。
【０１１０】
図８は、ＬＴＥ−Ａシステムにおいて本発明の他の実施例によってサウンディング参照信号を送信する方法を説明するための図である。特に、図８は、サブフレームの最後のＯＦＤＭあるいはＳＣ−ＦＤＭＡシンボルにおいてサウンディング参照信号を周波数分割多重化手法を用いて多重化した一例である。
【０１１１】
図８を参照すると、伝送すべきサウンディング参照信号がＭ個の場合、Ｍ個のサウンディング参照信号は、互いに異なるサウンディング参照信号送信帯域幅であるいは同一サウンディング参照信号送信帯域幅で互いに異なるコムパターンを有するようにそれぞれ周波数軸に多重化される。図８で、多重化されたサウンディング参照信号が送信される帯域幅は、全体システム帯域幅を最大値として種々のサイズが可能である。また、図８に、互いに区分された帯域として表示されたサウンディング参照信号伝送帯域は、不連続物理リソース要素コムパターン（ｄｉｓｃｒｅｔｅ  ｐｈｙｓｉｃａｌ  ＲＥ  ｃｏｍｂ  ｐａｔｔｅｒｎ）に対する周波数分割多重化方式も包括することを明示する。
【０１１２】
最後に、コード分割多重化と周波数分割多重化とを組み合わせた方式について説明する。図９は、本発明のさらに他の実施例によってサウンディング参照信号を送信する方法を説明するための図である。特に、図９は、サブフレームの最後のＯＦＤＭシンボルあるいはＳＣ−ＦＤＭＡシンボルにおいて、サウンディング参照信号をコード分割多重化と周波数分割多重化とを組み合わせた方式を用いて多重化した一例である。
【０１１３】
図９を参照すると、伝送すべきサウンディング参照信号がＭ個の場合、Ｍ個のサウンディング参照信号は、互いに異なるサウンディング参照信号送信帯域幅と互いに異なる巡回シフト値との組み合わせに基づいてそれぞれ多重化される。また、それぞれのサウンディング参照信号は、周波数分割多重化を優先して適用したり、コード分割多重化を優先して適用したりすればよい。
【０１１４】
図８で説明したサウンディング参照信号伝送多重化に周波数分割多重化を組み合わせた方式を適用する手法、または、図９で説明したコード分割多重化と周波数分割多重化とを組み合わせた方式を適用する手法は、クラスタ（ｃｌｕｓｔｅｒｅｄ）ＤＦＴ−ｓ−ＯＦＤＭＡ手法のように、アップリンク伝送のために不連続的リソースブロック割当ができる程度に送信電力が確保された端末に適用することが好ましい。また、図８または図９に示すようなリソース割当手法を適用するか否かは、基地局から暗黙的または明示的シグナリングによりなされることができる。
【０１１５】
すなわち、サウンディング参照信号の多重化手法である局地的（ｌｏｃａｌｉｚｅｄ）伝送と不連続的（ｎｏｎ−ｃｏｎｔｉｇｕｏｕｓ）伝送を指示するために、端末のアップリンク伝送モードまたは端末の送信電力制約有無によってサウンディング参照信号の多重化手法が変化するように指示するパラメータを定義し、このようなパラメータを端末特定ＲＲＣシグナリングまたはＬ１／Ｌ２制御シグナリングを通じて基地局が端末に指示できる。
【０１１６】
一方、現在ＬＴＥスペックでは、サウンディング参照信号の伝送がなされた後、別の終了状況が発生するまで、継続してサウンディング参照信号を伝送することが記述されている。すなわち、別途のサウンディング参照信号伝送を解除するパラメータが定義されていない。本発明では、サウンディング参照信号伝送解除を指示するパラメータを別途に物理層制御信号を通じて定義することを提案し、ＲＲＣシグナリングを通じてサウンディング参照信号の伝送が指示された場合、基地局から上記のサウンディング参照信号伝送を解除するパラメータを受信するまでサウンディング参照信号を送信することが好ましい。伝送解除を指示するパラメータを定義することとは違い、端末特定ＲＲＣシグナリングにより周期構成、すなわち、サウンディング参照信号の伝送回数や伝送時間を設定し、端末のサウンディング参照信号伝送を制限してもよい。
【０１１７】
上述したＬＴＥシステムで定義された周期的サウンディング参照信号とは違い、サウンディング参照信号の伝送をＬ１／Ｌ２制御シグナリングを用いて追加的に指示する場合、追加的に伝送されるサウンディング参照信号は、１回または限定された回数だけ伝送されるように設定してもよく、一種の周期で伝送されるように設定してもよい。ここで、１回または限定された回数に対する制御シグナリングは、ＲＲＣシグナリングを通じて伝送されてもよく、Ｌ１制御シグナリングを通じて伝送されてもよく、あるいは、端末と基地局との間にあらかじめ定義することによって追加的なシグナリングに対する追加的なオーバーヘッドを防止するように設定されてもよい。この場合、Ｌ１／Ｌ２制御シグナリングには、有効な伝送回数や伝送期間を含むことが好ましく、一種の周期的伝送であれば、周期構成情報、すなわち、伝送間隔に関する情報も含むことができる。ここで、伝送間隔に関する情報は、伝送周期ごとにサウンディング参照信号を送信しなければならない一つのサブフレームを指示してもよく、伝送周期時点から所定個数のサブフレームで連続してサウンディング参照信号を伝送したり、この所定個数のサブフレームから特定の時間オフセットだけの間隔をおいてサウンディング参照信号を伝送するように指示してもよい。また、伝送間隔に関する情報として、伝送開始点に関する情報を含んでもよい。ここで、サウンディング参照信号が伝送されるサブフレームまたはサブフレームグループに関する情報も、Ｌ１／Ｌ２制御シグナリングに含めることも考慮することができる。
【０１１８】
このように、追加的なサウンディング参照信号の送信において、追加されたサウンディング参照信号が送信されるシンボルは、既存の周期的サウンディング参照信号が割り当てられたサブフレームと同じサブフレームに割り当てられるように設定してもよく、あるいは、異なるサブフレームに割り当てられるように設定してもよい。ここで、異なるサブフレームに割り当てるように設定するということは、例えば、従来ＬＴＥシステムで定義されている端末特定サウンディング参照信号周期を１ｍｓとしたとき、追加的に伝送されるサウンディング参照信号に割り当てられるシンボルの伝送間隔を、端末特定サウンディング参照信号周期のサブセット、すなわち、周期の倍数である２ｍｓ、４ｍｓ、５ｍｓ、１０ｍｓ、２０ｍｓなどに設定する方法のことを指す。
【０１１９】
これをより具体的に説明すると、従来ＬＴＥシステムでは、周期的にサウンディング参照信号が送信されるサブフレームは、セル特定設定を有している。もし、上述したように追加的に伝送されるサウンディング参照信号のためのシンボルが、既存の周期的サウンディング参照信号のために、セル特定して割り当てられるサブフレームと同じサブフレームに割り当てられるように設定する場合、追加的に伝送されるサウンディング参照信号も、上記のセル特定設定と同じ設定を有してもよく、あるいは、周期的にサウンディング参照信号が送信されるように設定されているサブフレームのサブセット形態のサブフレームが、追加的に伝送されるサウンディング参照信号のために割り当てられてもよい。
【０１２０】
すなわち、Ｌ１／Ｌ２制御シグナリングによって指示される追加的サウンディング参照信号は、既存の周期的サウンディング参照信号を伝送可能なサブフレームにおいて既存のサウンディング参照信号を送信するために留保されているシンボル、追加的サウンディング参照信号を送信するために留保されている他のシンボル、あるいは、アップリンクＤＭ−ＲＳを送信するために割当あるいは留保されているシンボルで伝送することができる。
【０１２１】
このように、追加的なサウンディング参照信号伝送を行うために、既存のサウンディング参照信号伝送のために既に設定されたセル特定サブフレームでのみ伝送可能なように設定することができ、既に設定されたセル特定サブフレームでのみＰＵＳＣＨ穿孔（ｐｕｎｃｔｕｒｉｎｇ）を行うことによって、アップリンクデータスループットの損失を最小化することができる。
【０１２２】
追加的に伝送されるサウンディング参照信号のパラメータは、既存の周期的サウンディング参照信号伝送に用いられるリソース、例えば、セル特定サウンディング参照信号帯域幅設定、端末特定サウンディング参照信号帯域幅設定、周波数開始位置、伝送コムパラメータなどをそのまま用いればよい。
【０１２３】
または、追加的に伝送されるサウンディング参照信号のパラメータは、既存の周期的サウンディング参照信号伝送に用いられた方法と同様に、ＲＲＣ制御信号として、追加的サウンディング参照信号伝送に用いられるリソース、例えば、セル特定サウンディング参照信号帯域幅、端末特定サウンディング参照信号帯域幅、周波数開始位置、伝送コムパラメータなどを用いて、追加的サウンディング参照信号の伝送を可能にすることができる。
【０１２４】
または、追加的に伝送するサウンディング参照信号に対しては、セル特定サウンディング参照信号帯域幅設定、端末特定サウンディング参照信号帯域幅設定とは関係なく、システム帯域幅で使用可能な全帯域設定を用いて伝送する。例えば、システム帯域幅が５ＭＨｚの時は８ＲＢ、１０ＭＨｚの時は４８ＲＢ、１５ＭＨｚの時は７２ＲＢ、そして２０ＭＨｚの時は９６ＲＢを占めるサウンディング参照信号を送信することができる。
【０１２５】
このように、追加的に伝送するサウンディング参照信号のための帯域幅は、システム帯域幅で可用な最大の帯域幅を用いてもよく、一定の部分帯域幅を構成して選択的にサウンディング参照信号を伝送してもよい。すなわち、一回性伝送を行うものの、端末特定して設定されうる最大帯域幅を一定のサイズに分割した任意サイズの帯域幅に対して一定の順序に従ってサウンディング参照信号を送信するように設定してもよい。
【０１２６】
これと違い、端末特定して設定されうる最大帯域幅よりも大きい帯域幅に対してサウンディング参照信号を伝送するように設定することも考慮できる。この場合、端末は、自身に設定された端末特定最大帯域幅の他、別の帯域に対しても基地局の指示に従ってサウンディング参照信号を送信できることを意味する。
【０１２７】
一方、追加的に伝送されるサウンディング参照信号が伝送される時間リソース、すなわち、サブフレームの位置は、ダウンリンク制御情報（Ｄｏｗｎｌｉｎｋ  Ｃｏｎｔｒｏｌ  Ｉｎｆｏｒｍａｔｉｏｎ；ＤＣＩ）に含まれた設定に従ってもよく、これと特定関係にあるサブフレームで伝送されてもよい。例えば、ダウンリンクグラントに追加的なサウンディング参照信号の伝送指示及び該当するパラメータが存在する場合、このようなダウンリンク制御情報に応答するアップリンク制御情報が伝送されるアップリンクサブフレームで追加的なサウンディング参照信号を送信してもよく、このようなサブフレーム以降、最初にセル特定して定義された周期的あるいは非周期的サウンディング参照信号送信リソースで追加的なサウンディング参照信号を送信してもよい。
【０１２８】
同様に、まずはアップリンクグラントに非周期的サウンディング参照信号の伝送のための指示を、アップリンクのためのＰＵＳＣＨ伝送と共に指示でき、このような場合、該当のアップリンクリソース割当がなされたサブフレームで追加サウンディング参照信号を伝送してもよく、このようなサブフレーム以降、最初にセル特定して定義された周期的あるいは非周期的サウンディング参照信号送信リソースで追加的なサウンディング参照信号を送信してもよい。あるいは、このようなサブフレームから一定の時間的オフセット以降のサブフレームで既存サウンディング参照信号を送信するために留保されたリソースを用いて追加的サウンディング参照信号を送信してもよい。ここで、オフセットは、あらかじめ定義されてもよく、基地局によって指示されてもよい。
【０１２９】
図１０は、本発明の一実施例に係る通信送受信機を例示するブロック構成図である。送受信機は、基地局または端末の一部でよい。
【０１３０】
図１０を参照すると、送受信機１０００は、プロセッサ１０１０、メモリ１０２０、ＲＦモジュール１０３０、ディスプレイモジュール１０４０及びユーザインターフェースモジュール１０５０を含む。
【０１３１】
送受信機１０００は、説明の便宜のために示されたもので、一部のモジュールは省略されてもよい。また、送受信機１０００は、必要なモジュールをさらに含んでもよい。また、送受信機１０００において、一部のモジュールは、より細分化したモジュールにしてもよい。プロセッサ１０１０は、図面を参照して例示した本発明の実施例に係る動作を行うように構成される。
【０１３２】
具体的に、送受信機１０００が基地局の一部である場合に、プロセッサ１０１０は、制御信号を生成して、複数の周波数ブロック内に設定された制御チャネルにマッピングする機能を果たすことができる。また、送受信機１０００が端末の一部である場合に、プロセッサ１０１０は、複数の周波数ブロックから受信された信号から、自身に指示された制御チャネルを確認し、その制御チャネルから制御信号を抽出することができる。
【０１３３】
その後、プロセッサ１０１０は、制御信号に基づいて必要な動作を行うことができる。プロセッサ１０１０の詳細な動作は、図１乃至図９に記載された内容を参照すればよい。
【０１３４】
メモリ１０２０は、プロセッサ１０１０に接続し、オペレーティングシステム、アプリケーション、プログラムコード、データなどを格納する。ＲＦモジュール１０３０は、プロセッサ１０１０に接続し、基底帯域信号を無線信号に変換したり、無線信号を基底帯域信号に変換する機能を果たす。そのために、ＲＦモジュール１０３０は、アナログ変換、増幅、フィルタリング及び周波数アップ変換またはそれらの逆過程を行う。ディスプレイモジュール１０４０は、プロセッサ１０１０に接続し、様々な情報をディスプレイする。ディスプレイモジュール１０４０は、特に制限されるものではないが、ＬＣＤ（Ｌｉｑｕｉｄ  Ｃｒｙｓｔａｌ  Ｄｉｓｐｌａｙ）、ＬＥＤ（Ｌｉｇｈｔ  Ｅｍｉｔｔｉｎｇ  Ｄｉｏｄｅ）、ＯＬＥＤ（Ｏｒｇａｎｉｃ  Ｌｉｇｈｔ  Ｅｍｉｔｔｉｎｇ  Ｄｉｏｄｅ）のような周知の要素を用いればよい。ユーザインターフェースモジュール１０５０は、プロセッサ１０１０に接続し、キーパッド、タッチスクリーンなどのような周知のユーザインターフェースの組み合わせで構成されればよい。
【０１３５】
以上説明してきた実施例は、本発明の構成要素及び特徴を所定の形態で結合したものである。各構成要素または特徴は、別の明示的な言及がない限り、選択的なものとして考慮しなければならない。各構成要素または特徴は、他の構成要素や特徴と結合しない形態で実施することもでき、一部の構成要素及び／または特徴を結合して本発明の実施例を構成することも可能である。本発明の実施例で説明される動作の順序は変更可能である。ある実施例の一部の構成や特徴は、別の実施例に含まれてもよく、別の実施例の対応する構成または特徴に取り替えられてもよい。特許請求の範囲において明示的な引用関係にない請求項を結合して実施例を構成したり、出願後の補正により新しい請求項として含めたりすることができることは明らかである。
【０１３６】
本文書で、本発明の実施例は、端末と基地局間のデータ送受信関係を中心に説明された。本文書で基地局により行われるとした特定動作は、場合によっては、その上位ノード（ｕｐｐｅｒ  ｎｏｄｅ）により行われてもよい。すなわち、基地局を含む多数のネットワークノード（ｎｅｔｗｏｒｋ  ｎｏｄｅｓ）からなるネットワークにおいて端末との通信のために行われる様々な動作は、基地局または基地局以外の別のネットワークノードにより行われてもよいことは明らかである。基地局は、固定局（ｆｉｘｅｄ  ｓｔａｔｉｏｎ）、Ｎｏｄｅ  Ｂ、ｅＮｏｄｅ  Ｂ（ｅＮＢ）、アクセスポイント（ａｃｃｅｓｓ  ｐｏｉｎｔ）などの用語に代替可能である。また、端末は、ＵＥ（Ｕｓｅｒ  Ｅｑｕｉｐｍｅｎｔ）、ＭＳ（Ｍｏｂｉｌｅ  Ｓｔａｔｉｏｎ）、ＭＳＳ（Ｍｏｂｉｌｅ  Ｓｕｂｓｃｒｉｂｅｒ  Ｓｔａｔｉｏｎ）などの用語に代替可能である。
【０１３７】
本発明による実施例は様々な手段、例えば、ハードウェア、ファームウェア（ｆｉｒｍｗａｒｅ）、ソフトウェアまたはそれらの結合などにより具現することができる。ハードウェアによる具現の場合、本発明の一実施例は、一つまたはそれ以上のＡＳＩＣｓ（ａｐｐｌｉｃａｔｉｏｎ  ｓｐｅｃｉｆｉｃ  ｉｎｔｅｇｒａｔｅｄ  ｃｉｒｃｕｉｔｓ）、ＤＳＰｓ（ｄｉｇｉｔａｌ  ｓｉｇｎａｌ  ｐｒｏｃｅｓｓｏｒｓ）、ＤＳＰＤｓ（ｄｉｇｉｔａｌ  ｓｉｇｎａｌ  ｐｒｏｃｅｓｓｉｎｇ  ｄｅｖｉｃｅｓ）、ＰＬＤｓ（ｐｒｏｇｒａｍｍａｂｌｅ  ｌｏｇｉｃ  ｄｅｖｉｃｅｓ）、ＦＰＧＡｓ（ｆｉｅｌｄ  ｐｒｏｇｒａｍｍａｂｌｅ  ｇａｔｅ  ａｒｒａｙｓ）、プロセッサ、コントローラ、マイクロコントローラ、マイクロプロセッサなどにより具現することができる。
【０１３８】
ファームウェアやソフトウェアによる具現の場合、本発明の一実施例は、以上で説明された機能または動作を行うモジュール、手順、関数などの形態で具現されることができる。ソフトウェアコードは、メモリユニットに記憶されて、プロセッサにより駆動されることができる。メモリユニットは、プロセッサの内部または外部に設けられ、既に公知の様々な手段によりプロセッサとデータを授受することができる。
【０１３９】
本発明は、本発明の特徴を逸脱しない範囲で別の特定の形態と具体化されてもよいことは、当業者にとっては自明である。したがって、上記の詳細な説明は、いずれの面においても制限的に解釈されてはならず、例示的なものとして考慮されるべきである。本発明の範囲は、添付の請求項の合理的な解釈により決定すべきであり、本発明の等価的範囲内における変更はいずれも本発明の範囲に含まれる。
【産業上の利用可能性】
【０１４０】
本発明は、無線通信システムに適用することができる。特に、本発明は、周波数集約の適用された無線通信システムにおいてサウンディング参照信号を送信する方法及び装置に適用することができる。
【図１】
0005523555.tif 000054
【図２】
0005523555.tif 000055
【図４】
0005523555.tif 000056
【図１０】
0005523555.tif 000057
【図３】
0005523555.tif 000058
【図５】
0005523555.tif 000059
【図６】
0005523555.tif 000060
【図７】
0005523555.tif 000061
【図８】
0005523555.tif 000062
【図９】
0005523555.tif 000063